(57)【要約】【課題】低コストの簡単な構造で、水撃発生時の騒音と二次側の異常な圧力上昇とを抑制することができる逆止弁、およびこれを備えた貯湯式給湯機を提供すること。【解決手段】本発明の逆止弁１１は、一次側の圧力と二次側の圧力との差に応じて開位置と閉位置とに変位する弁体１５と、弁体１５の移動を案内するガイド部材１４と、弁体１５を閉位置の方向に付勢する付勢手段（バネ１７）と、を備える。弁体１５とガイド部材１４との一方にガイド軸１５ｂが設けられ、他方に設けられたガイド穴１４ｂにガイド軸１５ｂが挿入している。ガイド軸１５ｂの外周部とガイド穴１４ｂの内周部との一方に螺旋状をなす螺旋溝１５ｇが形成され、他方に形成された突起１４ｂが螺旋溝１５ｇに挿入している。弁体１５が開位置と閉位置との間で変位するときに、突起１４ｄが螺旋溝１５ｇの長手方向に沿って相対的に移動することにより、弁体１５が自動的に回転する。【選択図】図１
2011094705.tif 000002
【特許請求の範囲】
【請求項１】
一次側の圧力と二次側の圧力との差に応じて、流体の通過を許容する開位置と、流体の通過を阻止する閉位置とに変位する弁体と、
前記弁体の移動を案内するガイド部材と、
前記弁体を前記閉位置の方向に付勢する付勢手段と、
を備え、
前記弁体と前記ガイド部材との一方にガイド軸が設けられ、他方に設けられたガイド穴に前記ガイド軸が挿入しており、
前記ガイド軸の外周部と前記ガイド穴の内周部との一方に螺旋状をなす螺旋溝が形成され、他方に形成された突起が前記螺旋溝に挿入しており、
前記ガイド穴に対して前記ガイド軸が相対的に摺動することによって前記弁体が前記開位置と前記閉位置との間で変位するときに、前記突起が前記螺旋溝の長手方向に沿って相対的に移動することにより、前記弁体が自動的に回転することを特徴とする逆止弁。
【請求項２】
前記弁体に前記ガイド軸が設けられ、前記ガイド部材に前記ガイド穴が設けられ、
前記ガイド軸の外周部に前記螺旋溝が形成され、前記ガイド穴の内周部に前記突起が形成されていることを特徴とする請求項１記載の逆止弁。
【請求項３】
前記弁体に前記ガイド軸が設けられ、前記ガイド部材に前記ガイド穴が設けられ、
前記ガイド穴の内周部に前記螺旋溝が形成され、前記ガイド軸の外周部に前記突起が形成されていることを特徴とする請求項１記載の逆止弁。
【請求項４】
前記ガイド部材に前記ガイド軸が設けられ、前記弁体に前記ガイド穴が設けられ、
前記ガイド軸の外周部に前記突起が形成され、前記ガイド穴の内周部に前記螺旋溝が形成されていることを特徴とする請求項１記載の逆止弁。
【請求項５】
前記弁体には、前記弁体が回転したときに流体の抵抗を受ける羽が設けられていることを特徴とする請求項１乃至４の何れか１項記載の逆止弁。
【請求項６】
給水源に接続された貯湯タンクと、
前記貯湯タンク内の水を取り出し、加熱して前記貯湯タンク内に戻す加熱手段と、
出湯先へ出湯する湯を得るために、前記貯湯タンク内から取り出した湯と前記給水源からの水とを混合する混合手段と、
を備える貯湯式給湯機であって、
前記給水源と前記貯湯タンクとの間、前記貯湯タンクと前記混合手段との間、前記給水源と前記混合手段との間、前記混合手段と前記出湯先と間、のうちの少なくとも１箇所に、請求項１乃至５の何れか１項記載の逆止弁を備えたことを特徴とする貯湯式給湯機。
【発明の詳細な説明】
【技術分野】
【０００１】
本発明は、逆止弁および貯湯式給湯機に関する。
【背景技術】
【０００２】
例えば給湯機等に用いられる水栓器具の内部、あるいはこの水栓器具へ接続される給水管や給湯管には、逆流を阻止するための逆止弁が設けられているものがある。この逆止弁の二次側（下流側）において急速な水栓閉止が行われると、ウォーターハンマー現象（以後、水撃）のような衝撃的な流れが生じる。このとき、二次側の圧力が急上昇することにより、逆止弁の弁体が急速に弁座に着座し、逆止弁が急激に閉じて、騒音（水撃音）を生ずるという問題がある。
【０００３】
下記特許文献１には、水撃が生じても、ゆっくりとした開弁閉弁を可能とすることによって騒音を防止するようにした逆止弁が開示されている。この逆止弁では、弁体と、その弁体を移動自在に支持する弁ガイドとの間に、弁体の移動によって容積を増減する液溜り室を設けると共に、その液溜り室の内外を連通させるオリフィスを設け、流体がオリフィスを通過するときの抵抗によって弁体をゆっくりと移動させるようにしている。
【先行技術文献】
【特許文献】
【０００４】
【特許文献１】特開２００２−２２８０２６号公報
【発明の概要】
【発明が解決しようとする課題】
【０００５】
しかしながら、特許文献１に開示された逆止弁では、流体が弁体と弁ガイドとの隙間から液溜り室に出入りしないようにし、且つ弁体と弁ガイドとの円滑な摺動が必要である。このため、弁体や弁ガイドの摺動面の面粗さや径寸法を精密に管理することが必要となったり、異物の侵入を防止する工程管理が必要となったりするため、製造コストが高価となる課題があった。また、流路内に砂等の細かな異物が混入した場合、弁体と弁ガイドとの摺動部、または、液溜り室に入り込み、円滑な摺動が不可能となる問題があった。
【０００６】
本発明は、このような課題を解決するためになされたもので、低コストの簡単な構造で、水撃発生時の騒音と二次側の異常な圧力上昇とを抑制することができる逆止弁、およびこれを備えた貯湯式給湯機を提供することを目的とする。
【課題を解決するための手段】
【０００７】
この発明に係る逆止弁は、一次側の圧力と二次側の圧力との差に応じて、流体の通過を許容する開位置と、流体の通過を阻止する閉位置とに変位する弁体と、弁体の移動を案内するガイド部材と、弁体を閉位置の方向に付勢する付勢手段と、を備え、弁体とガイド部材との一方にガイド軸が設けられ、他方に設けられたガイド穴にガイド軸が挿入しており、ガイド軸の外周部とガイド穴の内周部との一方に螺旋状をなす螺旋溝が形成され、他方に形成された突起が螺旋溝に挿入しており、ガイド穴に対してガイド軸が相対的に摺動することによって弁体が開位置と閉位置との間で変位するときに、突起が螺旋溝の長手方向に沿って相対的に移動することにより、弁体が自動的に回転するものである。
【発明の効果】
【０００８】
この発明によれば、逆止弁の二次側で水撃が発生した場合に、騒音が生じたり、二次側の圧力が異常に上昇したりすることを、低コストの簡単な構造によって、確実に抑制することができる。また、流路内に砂等の細かな異物が混入した場合の耐異物性能の向上が図れる。
【図面の簡単な説明】
【０００９】
【図１】本発明の実施の形態１の逆止弁（閉弁状態）を示す断面図である。
【図２】本発明の実施の形態１の逆止弁（開弁状態）を示す断面図である。
【図３】本発明の実施の形態１の逆止弁が備える弁体（パッキンを取り外した状態）を示す斜視図である。
【図４】本発明の実施の形態１の逆止弁が備えるガイド部材を中心線方向から見た図である。
【図５】ガイド部材に形成されたガイド穴の付近を拡大した斜視図である。
【図６】本発明の実施の形態２の逆止弁（閉弁状態）を示す断面図である。
【図７】本発明の実施の形態２の逆止弁が備える弁体（パッキンを取り外した状態）を示す斜視図である。
【図８】本発明の実施の形態３の逆止弁（閉弁状態）を示す断面図である。
【図９】本発明の実施の形態３の逆止弁が備えるガイド部材を示す斜視図である。
【図１０】本発明の逆止弁を備えた貯湯式給湯機の実施の形態を模式的に示す図である。
【図１１】実施の形態１の逆止弁を図１０における逆止弁として混合給湯管内に実装した場合を示す断面図である。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１乃至図５は、本発明の逆止弁の実施の形態１を説明するための図である。図１および図２は、実施の形態１の逆止弁１１を示す断面図であり、図１が閉弁状態、図２が開弁状態である。図１および図２において、通常の流体の流れ方向は、逆止弁１１の右側（一次側）から逆止弁１１の左側（二次側）へ向かう方向である。図３は、実施の形態１の逆止弁１１が備える弁体１５（パッキン１５ｆを取り外した状態）を示す斜視図である。図４は、実施の形態１の逆止弁１１が備えるガイド部材１４を中心線方向から見た図である。図５は、ガイド部材１４に形成されたガイド穴１４ｂの付近を拡大した斜視図である。
【００１２】
図１に示すように、逆止弁１１は、ほぼ円筒形状の弁ケース１２を有している。弁ケース１２の一次側の端部は、径方向内側に向かって庇状に突出しており、この庇状の部分に囲まれることによって一次側開口部１２ａが形成されている。一次側開口部１２ａの縁部付近には、図１中で左側に向かって盛り上がった環状凸部が形成されている。この環状凸部が弁座１２ｂとして機能する。
【００１３】
弁ケース１２の二次側開口部１２ｄには、ガイド部材１４が設置されている。ガイド部材１４は、その中央部に円筒部１４ｃを有しており、この円筒部１４ｃの中空部によってガイド穴１４ｂが形成されている。このガイド穴１４ｂは、弁ケース１２と同心的に位置している。図４に示すように、ガイド穴１４ｂは、円形をなしている。ガイド穴１４ｂの周囲には、複数箇所に水を通すための通路１４ａが形成されている。図４および図５に示すように、ガイド穴１４ｂの内周部には、半球状の突起１４ｄが形成されている。このようなガイド部材１４は、弁ケース１２に対し、取り外し可能に嵌合固定されていることが望ましい。
【００１４】
図３に示すように、弁体１５は、本体１５ａと、本体１５ａから突出するガイド軸１５ｂとを有している。ガイド軸１５ｂの外周部には、ガイド軸１５ｂの中心線の周りに旋回する螺旋状をなす螺旋溝１５ｇが形成されている。また、弁体１５には、本体１５ａに対するガイド軸１５ｂの付け根部分を取り囲むようにして環状溝１５ｄが形成されている。この環状溝１５ｄには、後述するバネ１７の一端が挿入する。また、ガイド軸１５ｂと反対側の部分の本体１５ａの外周部には、パッキン１５ｆを装着するための環状溝１５ｃが形成されている。
【００１５】
図１に示すように、弁体１５は、ガイド軸１５ｂがガイド部材１４のガイド穴１４ｂに挿入した状態で設置されている。ガイド軸１５ｂの外径は、ガイド穴１４ｂの内径より僅かに小さくなっている。このため、ガイド軸１５ｂは、ガイド穴１４ｂに対して摺動可能である。従って、弁体１５は、弁ケース１２およびガイド部材１４に対し、軸線方向（ガイド軸１５ｂの中心線方向）に移動可能になっている。
【００１６】
弁体１５の環状溝１５ｃには、円盤状のパッキン１５ｆが装着されている。弁体１５は、付勢手段としてのコイル状のバネ１７により、図１中の右方向へ付勢されている。バネ１７は、その内側にガイド軸１５ｂおよび円筒部１４ｃの一部を挿通しており、一端がガイド部材１４に当接し、他端が弁体１５の本体１５ａ（環状溝１５ｄの底部）に当接している。逆止弁１１の右側（一次側）から逆止弁１１の左側（二次側）への流体の流れがない場合には、バネ１７によって、弁体１５が常にパッキン１５ｆを弁ケース１２の弁座１２ｂに押圧して、一次側開口部１２ａを閉鎖する閉位置に付勢するようになっている。
【００１７】
ガイド穴１４ｂの内周部に成形された突起１４ｄは、ガイド軸１５ｂの外周部に形成された螺旋溝１５ｇに挿入している。弁体１５が軸線方向に移動する場合には、突起１４ｄが螺旋溝１５ｇ内を螺旋溝１５ｇの長手方向に沿って相対的に移動することにより、弁体１５が自動的に回転運動する。本実施形態では、突起１４ｄは、円筒部１４ｃの両端部に１個ずつ形成されており、それらが中心線を介して互いに反対側に位置しているが、突起１４ｄの数や形成位置はこれに限定されるものではない。また、本実施形態では、突起１４ｄの形状を半球状としたが、円柱形状や楕円形状であっても良い。
【００１８】
上記のように構成された逆止弁１１の構成材料は特に限定されないが、好ましくは、摺動性の良い樹脂材料（例えば、ポリフェニレンエーテル）で成形することができる。このような逆止弁１１は、給湯機内の配管や、給湯機や浴槽循環具等に用いられる水栓金具の内部あるいはこの水栓器具へ接続される給水管や給湯管に組み込まれた状態で使用される。
【００１９】
次に、逆止弁１１の動作について説明する。弁体１５に作用する一次側圧力と二次側圧力とが等しい場合、あるいは二次側圧力が一次側圧力よりも高い場合には、バネ１７によって弁体１５が閉位置に保持され、図１に示す閉弁状態となる。この状態において、一次側の流体経路に流体が供給されて、弁体１５の一次側に作用する流体の圧力が、二次側の流体経路の圧力およびバネ１７の付勢力よりも高くなると、弁体１５がバネ１７の付勢力に抗して、一次側から二次側に移動する。その結果、図２に示すように、一次側開口部１２ａの弁座１２ｂから弁体１５のパッキン１５ｆが離隔され、弁体１５が開位置に保持された開弁状態となる。この開弁状態では、図２に示すように、一次側の流体経路からの流体が、一次側開口部１２ａ、弁ケース１２と弁体１５との間の通路１６、およびガイド部材１４の通路１４ａを通って、二次側の流体経路へと流れる。
【００２０】
図２に示す開弁状態から、弁体１５に作用する一次側と二次側の流体の圧力が再び等しくなると、バネ１７の付勢力によって弁体１５が閉位置に移動し、図１に示す閉弁状態に戻る。この閉弁状態では、二次側から一次側への流体の逆流が弁体１５によって阻止される。
【００２１】
次に、二次側の水撃発生時の逆止弁１１の動作について説明する。逆止弁１１の二次側に水撃が生じた場合、例えば上水道の最大水圧（０．７５ＭＰａ）以上の圧力になるような異常な圧力上昇が生じる。図２に示す状態において、二次側から水撃が逆止弁１１に印加された場合、その圧力によって弁体１５が強い力で閉位置方向に押される。このとき、弁体１５は、螺旋溝１５ｇおよび突起１４ｄの働きにより、自動的に回転しながら、閉位置へ移動する。しかしながら、弁体１５が強い力で押されていることにより、螺旋溝１５ｇと突起１４ｄとの間の摩擦力が大きくなるので、その摩擦力が弁体１５の回転に対する抵抗となる。このため、弁体１５が閉位置へ移動する速度、つまり閉弁動作速度が抑制される。その結果、パッキン１５ｆが弁座１２ｂに着座して閉弁したときの騒音（水撃音）を確実に抑制することができる。また、閉弁動作速度の抑制により、逆止弁１１が閉じるタイミングが遅延されるので、二次側からの水撃を一次側に逃がすことができ、二次側の異常圧力上昇を緩和することができる。また、弁ケース１２や弁体１５の破損も、確実に防止することができる。
【００２２】
上述した実施の形態１の逆止弁１１によれば、更に、以下のような利点がある。すなわち、弁体１５に一体化されたガイド軸１５ｂの外周部に螺旋溝１５ｇを設け、その螺旋溝１５ｇに挿入する突起１４ｄをガイド穴１４ｂの内周部に設けるという単純な構成であるので、製造コストの低減を図ることが可能となる。また、ガイド軸１５ｂとガイド穴１４ｂとの摺動部は、流体の流路に曝されているので、逆止弁１１の一次側からの流体の流れ発生時に摺動部の異物を洗い流すことができる。このため、耐異物性能の向上が図れる。
【００２３】
また、実施の形態１の逆止弁１１では、図３に示すように、弁体１５に、本体１５ａから放射状に延びる複数の羽１５ｈを設けている。これにより、次のような効果が得られる。弁体１５が急速に回転しようとすると、この羽１５ｈが流体の抵抗を大きく受けるので、弁体１５の回転が抑制される。よって、水撃発生時の閉弁動作速度をより確実に抑制することができる。
【００２４】
実施の形態２．
次に、図６および図７を参照して、本発明の実施の形態２について説明するが、上述した実施の形態１との相違点を中心に説明し、同一部分または相当部分は同一符号を付し説明を省略する。
【００２５】
図６は、実施の形態２の逆止弁２１（閉弁状態）を示す断面図であり、図７は、実施の形態２の逆止弁２１が備える弁体２５（パッキン２５ｆを取り外した状態）を示す斜視図である。
【００２６】
図７に示すように、弁体２５に設けられたガイド軸２５ｂの外周部には、複数の突起２５ｄが形成されている。図６に示すように、ガイド部材２４に設けられたガイド穴２４ｂの内周部には、螺旋状をなす螺旋溝２４ｇが形成されている。そして、ガイド軸２５ｂに形成された突起２５ｄは、ガイド穴２４ｂに形成された螺旋溝２４ｇに挿入している。弁体２５が軸線方向に移動する場合には、突起２５ｄが螺旋溝２４ｇに沿って移動することにより、弁体２５が自動的に回転運動する。このように、実施の形態２の逆止弁２１では、固定されたガイド部材２４のガイド穴２４ｂの側に螺旋溝２４ｇを設け、回転しつつ移動する弁体２５のガイド軸２５ｂの側に突起２５ｄを設けた点で、実施の形態１と異なる。しかしながら、このような実施の形態２の逆止弁２１によっても、実施の形態１と同様の効果が得られる。
【００２７】
実施の形態３．
次に、図８および図９を参照して、本発明の実施の形態３について説明するが、上述した実施の形態１との相違点を中心に説明し、同一部分または相当部分は同一符号を付し説明を省略する。
【００２８】
図８は、実施の形態３の逆止弁３１（閉弁状態）を示す断面図であり、図９は、実施の形態３の逆止弁３１が備えるガイド部材３４を示す斜視図である。
【００２９】
図８に示すように、弁体３５には、円筒状をなす円筒部３５ｃが設けられており、円筒部３５ｃの中空部分によりガイド穴３５ｂが形成されている。このガイド穴３５ｂの内周部には、螺旋状をなす螺旋溝３５ｇが形成されている。図９に示すように、ガイド部材３４にはガイド軸３４ｂが設けられており、このガイド軸３４ｂの外周部には複数の突起３４ｄが形成されている。図８に示すように、ガイド部材３４のガイド軸３４ｂは、弁体３５のガイド穴３５ｂに挿入している。また、ガイド軸３４ｂに形成された突起３４ｄは、ガイド穴３５ｂに形成された螺旋溝３５ｇに挿入している。このため、弁体３５が軸線方向に移動する場合には、突起３４ｄが螺旋溝３５ｇの長手方向に沿って相対的に移動することにより、弁体３５が自動的に回転運動する。このように、実施の形態３の逆止弁３１では、固定されたガイド部材３４の側にガイド軸３４ｂおよび突起３４ｄを設け、回転しつつ移動する弁体３５の側にガイド穴３５ｂおよび螺旋溝３５ｇを設けた点で、実施の形態１と異なる。しかしながら、このような実施の形態３の逆止弁３１によっても、実施の形態１と同様の効果が得られる。
【００３０】
更に、本発明では、上述した実施の形態１乃至３のような構成に限らず、固定されたガイド部材に設けたガイド軸の外周部に螺旋溝を形成し、回転しつつ移動する弁体に設けたガイド穴の内周部に突起を形成するようにしてもよい。そのような構成であっても、上述した実施の形態と同様の効果が得られる。
【００３１】
実施の形態４．
次に、上述した実施の形態１乃至３に基づいて説明した本発明の逆止弁を給湯機に適用した場合について説明する。図１０は、本発明の逆止弁を備えた貯湯式給湯機の実施の形態を模式的に示す図である。図１０に示すように、給水源からの水を供給する給水管１１２は、タンクユニット１００の中に設けた貯湯タンク１０１に接続されている。タンクユニット１００の外部には、水を高温水（例えば９０℃）に加熱する加熱手段１０２が設けられている。加熱手段１０２は、水配管１０３と高温水配管１０５とにより、貯湯タンク１０１と連絡されている。加熱手段１０２とは、例えば自然冷媒である二酸化炭素を冷媒としたヒートポンプサイクルにより水を高温水に高効率で加熱するものである。
【００３２】
貯湯タンク１０１内の下部に貯留された水は、水配管１０３を通って加熱手段１０２に送られ、加熱される。加熱手段１０２で加熱された高温水は、高温水配管１０５を通って貯湯タンク１０１の上部から導入され、積層方式で貯湯タンク１０１内に高温湯として貯留される。貯湯タンク１０１内に貯留された高温湯は、給湯管１０７を通って、混合弁１０６へ送られる。更に、混合弁１０６には、給水管１１２から分岐した給水分岐管１０８を通って、水が送られる。混合弁１０６は、リモコンなどの給湯温度設定手段により設定された温度になるよう、給水分岐管１０８の流量と給湯管１０７の流量を調節する。混合弁１０６にて混合された混合水は、混合給湯管１０９を経て蛇口１１０に供給される。
【００３３】
混合給湯管１０９の途中には、前述した実施の形態１乃至３で説明したような水撃音低減構造を備えた本発明の逆止弁１１１が設けられている。これにより、混合給湯管１０９内の水の逆流を防止することができるとともに、蛇口１１０が急激に閉止された場合であっても、水撃音の発生を確実に抑制することができる。
【００３４】
本実施形態の給湯機では、混合手段（混合弁１０６）と出湯先（蛇口１１０）との間（混合給湯管１０９）に本発明の逆止弁を設けているが、逆止弁の設置箇所はこれに限定されるものではなく、給水源と貯湯タンクとの間（図１０の給水管１１２に相当）、貯湯タンクと混合手段との間（図１０の給湯管１０７に相当）、あるいは、給水源と混合手段との間（図１０の給水分岐管１０８に相当）に本発明の逆止弁を設けるようにしてもよい。また、それらの設置箇所の複数に本発明の逆止弁を設けてもよい。
【００３５】
図１１は、実施の形態１で説明した逆止弁１１を図１０における逆止弁１１１として混合給湯管１０９内に実装した場合を示す断面図である。この図に示すように、混合給湯管１０９の内周部には、位置決め用突起１０９ｂが設けられており、逆止弁１１１の弁ケース１２の一次側端面がその位置決め用突起１０９ｂに当接している。このような位置決め用突起１０９ｂを設けたことにより、逆止弁１１１の挿入性（位置決め）を容易にすることができるとともに、逆止弁１１１の二次側で発生した水撃による逆止弁１１の位置ずれを確実に防止することができる。
【００３６】
上述した実施の形態４の構成によれば、タンクユニット１００をマンション等の屋内に設置した場合であっても、蛇口１１０の急激な開閉動作により発生する水撃によって混合給湯管１０９内の圧力が異常上昇した際、実施の形態１で示したように逆止弁１１１の閉弁動作速度を緩和することにより、衝撃音を低減し、かつ、逆止弁１１１や混合給湯管１０９、蛇口１１０が、異常な圧力上昇による破壊および水漏れ等の不具合発生に見舞われることを未然に防止することが可能となる。
【００３７】
以上説明したように、本発明によれば、二次側の水撃発生時に生じる衝撃音を抑制することができるとともに、二次側の異常圧力上昇による部品等の破壊や機能不全に陥ることを確実に防止することができる。また、構造が単純で、市販の水撃防止装置を新たに設置する必要がなく、コストの低減が図れる。更に、摺動部を流体の流路に曝すことにより、耐異物性能の向上が図れる。
【符号の説明】
【００３８】
１１          逆止弁
１４          ガイド部材
１４ｂ        ガイド穴
１４ｄ        突起
１５          弁体
１５ｂ        ガイド軸
１５ｇ        螺旋溝
１５ｈ        羽
１７          バネ
２１          逆止弁
２４          ガイド部材
２４ｂ        ガイド穴
２４ｇ        螺旋溝
２５          弁体
２５ｂ        ガイド軸
２５ｄ        突起
３１          逆止弁
３４          ガイド部材
３４ｂ        ガイド軸
３４ｄ        突起
３５          弁体
３５ｂ        ガイド穴
３５ｇ        螺旋溝
１０１        貯湯タンク
１０２        加熱手段
１０６        混合弁
１１０        蛇口
１１１        逆止弁
【図１】
2011094705.tif 000003
【図２】
2011094705.tif 000004
【図３】
2011094705.tif 000005
【図４】
2011094705.tif 000006
【図５】
2011094705.tif 000007
【図６】
2011094705.tif 000008
【図７】
2011094705.tif 000009
【図８】
2011094705.tif 000010
【図９】
2011094705.tif 000011
【図１０】
2011094705.tif 000012
【図１１】
2011094705.tif 000013